(57)【要約】【課題】座部に座った使用者の大腿を左右のエアバッグ１２によってマッサージする構造を備えた椅子型マッサージ機において、使用者の体型に応じてエアバッグ１２による大腿のマッサージが適度に行われるようにする。【解決手段】本発明の椅子型マッサージ機１では、座部２の左右両側に設けられた肘掛け部７には、押圧マッサージを行うエアバッグ１２が設けられており、このエアバッグ１２は、互いに近接状態と離反状態とを切り換え自在とする幅切換機構２５を介して座部２に設けられている。詳しくは、幅切換機構２５は、エアバッグ１２の近接状態時にはエアバッグ１２を肘掛け部７の内側面５１から突出させ、エアバッグ１２の離反状態時にはエアバッグ１２を肘掛け部７の内側面５１と面一又は内側面５１より陥没させる。【選択図】図７
2010162071.tif 000002
【特許請求の範囲】
【請求項１】
座部と、座部の後部に設けられた背もたれ部とを有する椅子型マッサージ機において、
前記座部又は背もたれ部の左右両側に、互いに対向配置とされ且つ使用者に押圧マッサージを施す対のエアバッグが設けられており、前記対のエアバッグは、互いに近接状態と離反状態とを切り換え自在とする幅切換機構を介して、前記座部又は背もたれ部に取り付けられていることを特徴とする椅子型マッサージ機。
【請求項２】
前記座部の左右両側に肘掛け部が設けられており、
前記左右の肘掛け部の互いに対向する内側面に前記エアバッグが埋め込み状に設けられ、
前記幅切換機構は、左右の肘掛け部の内部に配設され、且つ前記エアバッグの近接状態時には前記エアバッグを肘掛け部の内側面から突出させ、前記エアバッグの離反状態時には前記エアバッグを肘掛け部の内側面と面一又は内側面より陥没させる支持部材を有することを特徴とする請求項１に記載の椅子型マッサージ機。
【請求項３】
前記背もたれ部の左右両側に前方突出状の腕押圧部が設けられており、
前記左右の腕押圧部の互いに対向する内側面に前記エアバッグが埋め込み状に設けられ、
前記幅切換機構は、左右の腕押圧部の内部に配設され、且つ前記エアバッグの近接状態時には前記エアバッグを腕押圧部の内側面から突出させ、前記エアバッグの離反状態時には前記エアバッグを腕押圧部の内側面と面一又は内側面より陥没させる支持部材を有することを特徴とする請求項１に記載の椅子型マッサージ機。
【請求項４】
前記幅切換機構は、
座部の側部にて起立した状態でエアバッグを支持する前記支持部材と、
前記支持部材の下端部を回動自在に枢支しエアバッグを左右方向に揺動自在に保持させる枢支基部と、
前記枢支基部を支点として前記支持部材が肘掛け部の内側面から突出する方向に付勢する付勢部材と、
前記肘掛け部の内側面に対する支持部材の突出量を調整する突出量調整部と、
を有することを特徴とする請求項２又は３に記載の椅子型マッサージ機。
【請求項５】
前記突出量調整部は、前記支持部材に設けられた係止突起が係合する１又は複数の係合部を備えており、
前記突出量調整部が複数の係合部を備えている際には、前記複数の係合部は、支持部材の揺動方向に並んで配備されていることを特徴とする請求項４に記載の椅子型マッサージ機。
【請求項６】
前記幅切換機構は、座部の側部にて起立した状態でエアバッグを支持する前記支持部材と、前記支持部材の下端部を回動自在に枢支しエアバッグを左右方向に揺動自在に保持させる枢支基部と、支持部材の突出量を段階的に切り換えて保持するラチェット部と、を有しており、
前記ラチェット部は、支持部材に設けられ且つ当該支持部材と共に円弧移動する爪と、前記爪が係合する係合歯が円弧状に設けられたラック部材とを有しており、
前記ラック部材には、最終端にある係合歯にある爪を最始端にある係合歯に回帰可能にするリセット機構が設けられていることを特徴とする請求項２又は３に記載の椅子型マッサージ機。
【請求項７】
前記リセット機構は、爪の揺動方向に同じ方向に揺動可能な解除レバーを有し、
前記解除レバーの上端部は、前記ラック部材に設けられた係合歯の歯先と略同じか又は若干高くなる高さに設定されていて、
前記爪が解除レバーの上端部の乗り上げることで、最終端にある係合歯にある爪を最始端にある係合歯に回帰可能となるよう構成されていることを特徴とする請求項６に記載の椅子型マッサージ機。
【請求項８】
前記エアバッグは、第１エアバッグと、この第１エアバッグに重ね合わせ状態で設けられた第２エアバッグとを有し、
第２エアバッグは前後方向中央部が区画部によって空気非連通状態で区画されていると共に、この区画部を介して第１エアバッグと結合されていることを特徴とする請求項１〜７のいずれかに記載の椅子型マッサージ機。
【請求項９】
前記第１エアバッグと第２エアバッグとは、互いの下端部が前後方向にわたって連結されていることを特徴とする請求項８に記載の椅子型マッサージ機。
【発明の詳細な説明】
【技術分野】
【０００１】
本発明は、椅子型マッサージ機に関する。
【背景技術】
【０００２】
椅子型マッサージ機として、座部の後部に背もたれ部が設けられ、背もたれ部に使用者の背部をマッサージするマッサージ機構が備えられたものは周知である。この種の椅子型マッサージ機には、座部の左右両側にエアバッグが対向配置で設けられ、座部に座った使用者の両大腿を、それらの左右両外側からマッサージできるようにしたものが提案されている（特許文献１）。
【先行技術文献】
【特許文献】
【０００３】
【特許文献１】特開２００３−３１９９９０号公報
【発明の概要】
【発明が解決しようとする課題】
【０００４】
椅子型マッサージ機において、座部に座った使用者の大腿部や腰部をマッサージする構造では、使用者の体型によってはエアバッグによる指圧力が強すぎたり反対に弱すぎたり、更には、使用者が小柄な体型（やせ形の体型を含む）の場合では、エアバッグが施療部まで届かず効果的なマッサージができなかったりすることもあった。
逆に、使用者が大柄な体型（太り気味の体型を含む）の場合、効果的なマッサージは行えるものの、座部への着座動作にエアバッグが邪魔になることもあった。
そこで、本発明は、上記問題点に鑑み、座部に座った使用者の大腿部や腰部を左右のエアバッグによってマッサージする構造を備えた椅子型マッサージ機において、使用者の体型に応じてエアバッグによるマッサージが効果的に行われるようにし、またエアバッグが着座動作にとって何ら支障とならないようにした椅子型マッサージ機を提供することを目的とする。
【課題を解決するための手段】
【０００５】
前記目的を達成するため、本発明においては以下の技術的手段を講じた。
本発明の椅子型マッサージ機は、座部と、座部の後部に設けられた背もたれ部とを有する椅子型マッサージ機において、前記座部又は背もたれ部の左右両側に、互いに対向配置とされ且つ使用者に押圧マッサージを施す対のエアバッグが設けられており、前記対のエアバッグは、互いに近接状態と離反状態とを切り換え自在とする幅切換機構を介して、前記座部又は背もたれ部に取り付けられていることを特徴とする。
好ましくは、前記座部の左右両側に肘掛け部が設けられており、前記左右の肘掛け部の互いに対向する内側面に前記エアバッグが埋め込み状に設けられ、前記幅切換機構は、左右の肘掛け部の内部に配設され、且つ前記エアバッグの近接状態時には前記エアバッグを肘掛け部の内側面から突出させ、前記エアバッグの離反状態時には前記エアバッグを肘掛け部の内側面と面一又は内側面より陥没させる支持部材を有するとよい。
【０００６】
また、前記背もたれ部の左右両側に前方突出状の腕押圧部が設けられており、前記左右の腕押圧部の互いに対向する内側面に前記エアバッグが埋め込み状に設けられ、前記幅切換機構は、左右の腕押圧部の内部に配設され、且つ前記エアバッグの近接状態時には前記エアバッグを腕押圧部の内側面から突出させ、前記エアバッグの離反状態時には前記エアバッグを腕押圧部の内側面と面一又は内側面より陥没させる支持部材を有してもよい。
さらに好ましくは、前記幅切換機構は、座部の側部にて起立した状態でエアバッグを支持する前記支持部材と、前記支持部材の下端部を回動自在に枢支しエアバッグを左右方向に揺動自在に保持させる枢支基部と、前記枢支基部を支点として前記支持部材が肘掛け部の内側面から突出する方向に付勢する付勢部材と、前記肘掛け部の内側面に対する支持部材の突出量を調整する突出量調整部と、を有するとよい。
【０００７】
また、前記突出量調整部は、前記支持部材に設けられた係止突起が係合する１又は複数の係合部を備えており、前記突出量調整部が複数の係合部を備えている際には、前記複数の係合部は、支持部材の揺動方向に並んで配備されているとよい。
前記幅切換機構は、座部の側部にて起立した状態でエアバッグを支持する前記支持部材と、前記支持部材の下端部を回動自在に枢支しエアバッグを左右方向に揺動自在に保持させる枢支基部と、支持部材の突出量を段階的に切り換えて保持するラチェット部と、を有しており、前記ラチェット部は、支持部材に設けられ且つ当該支持部材と共に円弧移動する爪と、前記爪が係合する係合歯が円弧状に設けられたラック部材とを有しており、
前記ラック部材には、最終端にある係合歯にある爪を最始端にある係合歯に回帰可能にするリセット機構が設けられていてもよい。
【０００８】
好ましくは、前記リセット機構は、爪の揺動方向に同じ方向に揺動可能な解除レバーを有し、前記解除レバーの上端部は、前記ラック部材に設けられた係合歯の歯先と略同じか又は若干高くなる高さに設定されていて、前記爪が解除レバーの上端部の乗り上げることで、最終端にある係合歯にある爪を最始端にある係合歯に回帰可能となるよう構成されているとよい。
さらに、前記エアバッグは、第１エアバッグと、この第１エアバッグに重ね合わせ状態で設けられた第２エアバッグとを有し、第２エアバッグは前後方向中央部が区画部によって空気非連通状態で区画されていると共に、この区画部を介して第１エアバッグと結合されているとよい。
【０００９】
好ましくは、前記第１エアバッグと第２エアバッグとは、互いの下端部が前後方向にわたって連結されている構成とするとよい。
【発明の効果】
【００１０】
本発明に係る椅子型マッサージ機によれば、使用者の体型に応じてエアバッグによる使用者の施療部へのマッサージが効果的に行われるものとなり、またエアバッグが着座動作にとって支障となるようなことはない。
【図面の簡単な説明】
【００１１】
【図１】本発明に係る椅子型マッサージ機の第１実施形態を一部内部透視状態にして示した斜視図である。
【図２】図１に対応する側面図である。
【図３】図１に対応する正面図である。
【図４】エアバッグの周辺のを拡大正面図である。
【図５】エアバッグの斜視図である。
【図６】図５のＡ−Ａ線断面図であってエアバッグの動作状況を示した図である。
【図７】本発明に係る椅子型マッサージ機の第２実施形態を示した要部斜視図である。
【図８】図７に対応させて別視点から描いた斜視図である。
【図９】図７に対応する正面断面図である。
【図１０】図９からの動作説明図である。
【図１１】図１０からの動作説明図である。
【図１２】図１１からの動作説明図である。
【発明を実施するための形態】
【００１２】
以下、本発明の実施形態を、図を基に説明する。
［第１実施形態］
図１〜図６は、本発明に係る椅子型マッサージ機１の第１実施形態を示している。なお、これら各図は説明の便宜上、必要に応じて構造の一部を省略して描いてある。
椅子型マッサージ機１は、座部２と、座部２の後部に設けられた背もたれ部３とを有している。座部２の前部には、この座部２に着座した使用者の下肢を揉みマッサージする足揉み装置５が設けられている。
【００１３】
図１，図２に示すように、座部２の下部には、この椅子型マッサージ機１を床面へ設置するための脚フレーム６が設けられており、この脚フレーム６によって座部２が所定高さに支持されるようになっている。また座部２の両側を挟むようにして肘掛け部７が設けられており、これら肘掛け部７によって脚フレーム６が外から見えないように隠されている。
なお、以下の説明において、図２の左右方向を実際の装置での前後方向と呼び、図２の上下方向を実際の装置における上下方向と呼ぶ。図２の紙面貫通方向を実際の装置での左右方向又は幅方向と呼ぶ。これらの方向は、椅子型マッサージ機１に座った使用者から見たものと一致する。
【００１４】
座部２は使用者の臀部を下方から支持するに十分な広さを有している。背もたれ部３は、その下端部が座部２の後部又は脚フレーム６の後部に対して前後揺動自在な状態に枢支されている。この背もたれ部３は、脚フレーム６内に配設されたリニアアクチュエータ機構などのリクライニング機構８により、リクライニング可能となっている。
背もたれ部３の内部には、揉みや叩き、或いは振動などのマッサージ動作を行う背部用マッサージ機構（図示略）が上下移動自在に設けられている。
足揉み装置５は箱形に形成されたもので、その正面には使用者の下肢（左右の足）を嵌め入れ可能にする左右一対の保持溝が形成され、これら各保持溝内に、下肢に対して揉みマッサージを行う下肢用マッサージ機構（図示略）が内蔵されている。
【００１５】
この足揉み装置５は、座部２の下方（脚フレーム６の内部）に設けられた進退機構１０により、図２に示すように、座部２の前方で床面から宙に浮き上がり、且つ使用者の下肢をマッサージ可能な使用位置Ｕと、座部２の下方に形成された収納位置Ｐとの間を移動可能になっている。
座部２の左右両側に設けられた肘掛け部７には、それらの互いに対向する内側面５１（左側の肘掛け部７の右側面、及び右側の肘掛け部７の左側面）に、使用者の太腿部や腰部を押圧マッサージするエアバッグ１２が埋め込み状態で設けられている。すなわち、これら左右のエアバッグ１２は、座部２の上方領域（使用者の着座位置）を挟んで対向配置とされている。
【００１６】
図５及び図６に示すように、各エアバッグ１２は、前後方向に長い長方形状であって、座部２寄りに設けられ、押圧マッサージを行う第２エアバッグ１５（指圧袋）と、肘掛け７側に設けられた第１エアバッグ１６（バックアップ袋）とが重ね合わされた構造となっている。エアバッグ１２は、エアの非供給時では薄く扁平な外形を呈しているが、エアの供給時には、指圧袋１５及びバックアップ袋１６とが共に膨出して幅方向内側（座部２側）へ突出するようになる。
これら指圧袋１５とバックアップ袋１６とは互いの下端部が前後方向にわたって連結されている。言い換えれば、一つの大きな袋を中央で二つ折りにすることで、指圧袋１５とバックアップ袋１６とを形成させるようにしてある。また指圧袋１５には、前後方向中央部に上下方向にわたる区画部１７が形成されており、この区画部１７を介してバックアップ袋１６と指圧袋１５とが結合されている。
【００１７】
第１実施形態において、指圧袋１５やバックアップ袋１６の外周輪郭、指圧袋１５の区画部１７、及びこの区画部１７での指圧袋１５とバックアップ袋１６との結合部は、いずれも縫着によって行ってある。縫着に代えて接着等により行ってもよいし、場所によっては素材生地の裁断方法を工夫することで一体形成させることも可能である。
これら指圧袋１５とバックアップ袋１６とは、区画部１７を中央に挟んだ前後２箇所がそれぞれ伸縮筒部１８によって連結されており、この伸縮筒部１８内を介して、より積極的に内部連通した構造とされている。そして、バックアップ袋１６が、後述する支持部材２０に対して、その座部２側の面に取り付けられている。
【００１８】
エアバッグ１２にポンプ等からエアが供給されることで、バックアップ袋１６及び指圧袋１５が同時に膨出するようになっている。当然に、エアを排気すれば、バックアップ袋１６及び指圧袋１５は同時に収縮する。従って、これらバックアップ袋１６及び指圧袋１５に対し、同時膨出と同時収縮とを所定リズムに合わせて脈動的に繰り返せば、座部２に着座した使用者の施療部をマッサージすることができるものである。
上述した如く、本発明のエアバッグ１２は、指圧袋１５とバックアップ袋１６との重ね合わせ構造であると共に、指圧袋１５が前後方向中央部で区画部１７によって区画されている構造である。それに伴い、指圧袋１５による大腿部への指圧（マッサージ）は、前後方向から挟み込むような形となる。そのため、大腿において、腰に近い部分と膝に近い部分とを刺激強くマッサージし、その他の部位を優しくマッサージするという状況が得られる。
【００１９】
なお、左右のエアバッグ１２は、指圧袋１５とバックアップ袋１６との互いの下端部が前後方向にわたって連結されていなくてもよく、指圧袋１５の前後方向中央部に上下方向にわたる区画部１７のみが形成されていてもよい。こうすることで、エアの供給時には、指圧袋１５の前後部がそれぞれ膨出して幅方向内側（座部２側）へ突出し、確実に大腿部を前後方向から挟み込むマッサージができる。
これら左右のエアバッグ１２は、互いに近接状態と離反状態とを切り換え自在とする幅切換機構２５を介して、座部２に取り付けられている。
【００２０】
詳しくは、座部２の両側には、前後方向を向く所定厚みを有した長板状の肘掛け部７，７が立設されており、この肘掛け部７，７の上辺に、座部２に座った使用者は肘をおくことができる。肘掛け部７の厚み方向（左右方向）の壁面であって、使用者に近い側（座部に近い側）である内側面５１に関しては、エアバッグ１２が埋め込み状に設けられており、後述するエアバッグ１２の突出の基準面となっている。
幅切換機構２５は、この肘掛け部７の内部に配設され、且つエアバッグ１２の近接状態時には、エアバッグ１２を肘掛け部７の内側面５１から突出させるように働く。一方、エアバッグ１２の離反状態時には、エアバッグ１２を肘掛け部７の内側面５１と面一又は内側面５１より陥没させるように働く。
【００２１】
図４に示すように、幅切換機構２５は、エアバッグ１２を支持する支持部材２０と、支持部材２０の下端部を回動自在に枢支しエアバッグ１２を幅方向に揺動自在に保持する枢支基部２７と、支持部材２０が肘掛け部７の内側面５１から突出する方向に引っぱる付勢部材２８と、支持部材２０の突出量を調整する突出量調整部２９とを有している。
支持部材２０は、エアバッグ１２が取り付けられる取付体２０ａと、この取付体２０ａの下方へ突出して設けられた揺動アーム３５（図例では２本一組としてある）とを有している。この支持部材２０は、肘掛け部７の内部に配備されている。
【００２２】
枢支基部２７は、支持部材２０が具備する揺動アーム３５の下端部と脚フレーム６との間に、軸心を前後方向へ向けた枢軸３６を相対回動自在に設けることで、支持部材２０を左右揺動自在にする構造としてある。
付勢部材２８は、枢支基部２７の枢軸３６を支点としてそのまわりで支持部材２０が座部２へ近接する方向（幅方向内側）へ揺動するように付勢する。具体的には、この付勢部材２８には圧縮コイルスプリングを用いてあり、枢軸３６よりも上側となる位置で揺動アーム３５と脚フレーム６の適所（座部２を支持している部分あたり）との間へ、引張力が作用した状態で架け渡してある。
【００２３】
突出量調整部２９は、Ｕ字状の凹み（係合部）が２つ並んで全体がＷ字状を呈するように形成されたものとしてある。またこの突出量調整部２９は、その一端部をヒンジ部３７により、脚フレーム６に対して回動自在（上下揺動自在）に保持された構造としてある。
なお、支持部材２０の揺動アーム３５には、枢軸３６からヒンジ部３７までの距離を半径とする円周線Ｑ上に略位置するようにして、突出量調整部２９と当接させるための係止突起４０を設けてある。
突出量調整部２９が、ヒンジ部３７から最も遠い端部の外側面４２（係合部）において係止突起４０と当接するした際には、左右のエアバッグ１２，１２間の距離が最も広がり離反状態となって、肘掛け部７の内側面５１と面一又は内側面５１より陥没した状態となる。このため、前述の外側面４２を広幅停止部（以下、符号「４２」を流用）と呼ぶことにする。左右のエアバッグ１２，１２が肘掛け部７の内側面５１と面一となった際には、エアバッグ１２自体が肘か目部７の内側面５１を構成している。
【００２４】
また、係止突起４０が、突出量調整部２９の一つめの係合部４３や二つめの係合部４４と係合した場合、エアバッグ１２が肘掛け部７の内側面５１から突出し、左右のエアバッグ１２，１２間の距離が狭まり近接状態となる。このため、一つめの係合部４３や二つめの係合部４４を、第１狭幅停止部（以下、符号「４３」を流用）、第２狭幅停止部（以下、符号「４４」を流用）と呼ぶ。係止突起４０が第２狭幅停止部４４に係合したときが、左右のエアバッグ１２，１２が最も近接状態となる。
なお、突出量調整部２９は、係合部が１つのみ形成され全体がＶ字状を呈するものであってもよい。
【００２５】
突出量調整部２９が回動自在に連結されているヒンジ部３７には、巻き数の少ないコイルバネ３０が組み込まれ、突出量調整部２９を上方揺動するように付勢してある。
また、突出量調整部２９には操作機構３１が設けられている。この操作機構３１は、突出量調整部２９の反ヒンジ部３７（先端側）に取り付けられたワイヤケーブル４７を有している。このワイヤケーブル４７を引っぱることで、コイルバネ３０の付勢力に抗しつつ、突出量調整部２９を下方に引き下げ可能となっている。具体的には、突出量調整部２９における広幅停止部４２寄りの端部にワイヤケーブル４７の一端部を連結させ、このワイヤケーブル４７の他端部を肘掛け部７などに設けた操作レバー４８（図１参照）で引き出し操作できるようにしてある。
【００２６】
すなわち、操作レバー４８を引き上げるように操作すると、ワイヤケーブル４７が引っ張られ、突出量調整部２９がコイルバネ３０の付勢力に抗しつつヒンジ部３７を支点として下向きに揺動する。ここにおいて、例えば操作レバー４８の操作前の段階で突出量調整部２９の広幅停止部４２と支持部材２０の係止突起４０とが係合していたとすると、上記突出量調整部２９の下向き揺動により、係止突起４０から広幅停止部４２が外されるようになる。
支持部材２０は付勢部材２８によって常時、引張付勢を受けているため、係止突起４０から広幅停止部４２が外れることで、この支持部材２０（即ち、エアバッグ１２）が枢支基部２７（枢軸３６）を支点として幅方向内側へ向けて揺動する。操作レバー４８を１回操作した後、すぐに操作を解除する（操作レバー４８から手を離す）と、ワイヤケーブル４７が緩められるため、突出量調整部２９は、コイルバネ３０の付勢力により元の姿勢に復帰しようとしてヒンジ部３７を支点に上向きに揺動する。
【００２７】
このとき、上記したように支持部材２０は座部２へ向けて揺動した状態にあるため、上記突出量調整部２９の上向き揺動により、その第１狭幅停止部４３が係止突起４０に対して係合するようになる。かくして、支持部材２０（エアバッグ１２）は、第１狭幅停止部４３によって当て止めされた状態を保持するようになる。
その後、操作レバー４８をもう一度、引き上げ操作すると、上記と略同様な状況が繰り返されることになり、突出量調整部２９の第１狭幅停止部４３と支持部材２０の係止突起４０との係合が外され、次に突出量調整部２９の第２狭幅停止部４４が支持部材２０の係止突起４０に係合するようになる。これにより、支持部材２０（エアバッグ１２）は、第２狭幅停止部４４によって当て止めされた状態を保持するようになる。
【００２８】
なお、突出量調整部２９の第１狭幅停止部４３又は第２狭幅停止部４４が支持部材２０の係止突起４０と係合しているとき、操作レバー４８を引き上げたままの状態で保持させるようにすると、ワイヤケーブル４７も引っ張られた状態を続けるため、突出量調整部２９は下向きに揺動した姿勢を維持することになる。そのため支持部材２０の係止突起４０は、何処とも係合することがなくなる。
このとき、使用者がエアバッグ１２を押し返すようにしてやると、支持部材２０は枢支基部２７を支点として容易に座部２の幅方向外側へ向けて揺動するようになる。このように支持部材２０を左右方向外側へ揺動させたうえで、操作レバー４８の引き上げを解除すれば、突出量調整部２９が上向きに揺動し、突出量調整部２９の広幅停止部４２が支持部材２０の揺動領域内へ入ることになる。そのため、この広幅停止部４２が支持部材２０の係止突起４０と係合し、支持部材２０（エアバッグ１２）は、肘掛け部７の内側面５１と面一又は内側面５１より陥没した状態となる。
【００２９】
ところで幅切換機構２５では、上記した支持部材２０をはじめとして、枢支基部２７、付勢部材２８、突出量調整部２９、及びコイルバネ３０が、座部２を挟んだ左右両側（即ち、左右のエアバッグ１２）に対して、左右対称で同様に設けられている。これに対し、操作機構３１は、これら左右の支持部材２０を同時に相互離反させたり、同時に相互近接させたりするようになっている。
そのため、左右の支持部材２０が突出量調整部２９の広幅停止部４２により当て止めされる相互離反状態から第１狭幅停止部４３により当て止めされる相互近接状態に切り換えられると、座部２上方の内法寸法（左右のエアバッグ１２における相互間距離）は、広幅な状態から狭幅な状態に変更されることになる。
【００３０】
同様に、左右の支持部材２０が突出量調整部２９の第１狭幅停止部４３により当て止めされた相互近接状態から第２狭幅停止部４４により当て止めされた相互近接状態に切り換えられると、座部２上方の内法寸法は、より一層、狭幅に変更されることになる。このように、本第１実施形態において幅切換機構２５は、合計３段階の幅切換が可能になっている。
ここにおいて、左右の支持部材２０が突出量調整部２９の広幅停止部４２により当て止めされる相互離反状態を、「座部２への着座動作に支障のない幅」として設定することができる。すなわち、左右のエアバッグ１２が肘掛け部７内に収納された状態での左右幅を、エアバッグ１２の「退避モード」とすることができる。本発明の椅子型マッサージ機１を単なる椅子として使用する際には、エアバッグ１２を「退避モード」とすると非常に好適である。
【００３１】
これに対し、左右のエアバッグ１２，１２の近接状態、すなわち、支持部材２０の係止突起４０が、第１狭幅停止部４３や第２狭幅停止部４４に係合したときを、エアバッグ１２の「使用モード」とすることができる。使用モードにおいて、係止突起４０を第１狭幅停止部４３、第２狭幅停止部４４のどちらに合わせるか、つまり、エアバッグ１２，１２間の幅を若干狭くするか、より狭くするかは、使用者の好みや体格に合わせればよい。
［第２実施形態］
図７〜図１２は、本発明に係る椅子型マッサージ機１の第２実施形態を示している。
【００３２】
以下の説明でも、左右方向、前後方向、及び上下方向については第１実施形態に関する説明と同じである。
左右のエアバッグ１２は、座部２の上方領域（使用者の着座位置）を挟んで対向配置となるように設けられている。また座部２の左右両側に設けられた肘掛け部７に対して、必要に応じて、それらの各内側面に埋め込み収納が可能になっている。
エアバッグ１２の具体例として、前後方向に長い長方形状に形成され、第２エアバッグ１５（指圧袋）と第１エアバッグ１６（バックアップ袋）とが重ね合わされ、且つ互いの下端部が前後方向にわたって連結されたものを示してある。また指圧袋１５が前後方向中央部で区画部１７によって区画された構造も採り入れられており、これらは全て第１実施形態と同じである。
【００３３】
また、本実施形態でも、左右のエアバッグ１２は、互いに近接状態と離反状態とを切り換え自在とする幅切換機構２５を介して、座部２に取り付けられている。この幅切換機構２５の細部構造が第１実施形態と異なっている。
詳しくは、幅切換機構２５は、エアバッグ１２を支持する支持部材２０と、支持部材２０の下端部を回動自在に枢支しエアバッグ１２を幅方向に揺動自在に保持する枢支基部２７と、支持部材２０の突出量を段階的に切り換えて保持するラチェット部６０とを有している。
【００３４】
支持部材２０は、エアバッグ１２（バックアップ袋１６）が取り付けられる取付体２０ａと、この取付体２０ａの下方へ突出して設けられた揺動アーム３５（図例では２本一組としてある）とを有している。この支持部材２０は、肘掛け部７の内部に配備されている。
枢支基部２７は、支持部材２０が具備する揺動アーム３５の下端部と脚フレーム６との間に、軸心を前後方向へ向けた枢軸３６を相対回動自在に設けることで、支持部材２０を左右揺動自在にする構造としてある。
【００３５】
ラチェット部６０は、支持部材２０に設けられた爪６１と、支持部材２０が揺動することで一緒に円弧移動することとなる爪６１に対しその移動軌跡に内接する配置でフレーム６に設けられたラック部材６２とを有している。
爪６１は、ハウジング６５を介して支持部材２０に設けられている。このハウジング６５は、支持部材２０の２本の揺動アーム３５間に架け渡された連結杆６６に対して下から嵌合する状態に設けられている。またこのハウジング６５は、前後方向に所定間隔をおいて設けられた一対の垂下壁６７を有して門型に形成されている。
【００３６】
爪６１の上端部には軸心を前後方向へ向けた枢支軸７０が設けられており、この枢支軸７０がハウジング６５の両垂下壁６７間に架設されるようになっている。従ってこの爪６１は、この枢支軸７０を支点に、下端部（爪先６１ａ）が左右方向へ揺動自在となっている。なお、本第２実施形態では、爪先６１ａに付随して補助爪先６１ｂが設けられ、これら両方の爪先６１ａ，６１ｂの相互間に爪股部６１ｃが形成されるようになったものを示している。
爪６１の爪先６１ａは、枢支軸７０の軸心から、左右方向の外側（座部２の左側に配置されるラチェット部６０では左側を言い、座部２の右側に配置されるラチェット部６０では右側を言うものとする）を指向するように形成されている。
【００３７】
これに対してラック部材６２は、爪６１の移動軌跡に倣って歯先を並べるような配置で突出する複数の送り歯７２（係合歯）を有しており、送り歯７２の相互間に歯谷部７３が形成されるようになっている。それぞれの送り歯７２は、左右方向の内側（座部２の左側に配置されるラチェット部６０では右側を言い、座部２の右側に配置されるラチェット部６０では左側を言うものとする）を指向するように形成されている。
これらのことから、座部２の左側に配置されるラチェット部６０で説明すると、爪６１が左方から右方へ向けて（幅方向内側へ）円弧移動するとき、爪６１は枢支軸７０を支点とした揺動を伴いながら各送り歯７２上へ簡単に乗り上げ、乗り越すことを繰り替えして移動してゆくようになる。このように爪６１が円弧移動を許容される方向を「順方向」とおく。
【００３８】
しかし、これとは反対に、爪６１を右方から左方へ円弧移動させようとした場合、爪６１（爪先６１ａ，６１ｂ及び爪股部６１ｃ）は最初に出会う送り歯７２及び歯谷部７３と噛合して、それ以上、枢支軸７０を支点とした揺動を起こさない状態に固定化される。そのため、爪６１は一つの送り歯７２を乗り越すことすらできず、結果として爪６１は、右方から左方へ向けて（幅方向外側へ）円弧移動することはない。このように爪６１が円弧移動を阻止される方向を「逆方向」とおく。
このように、ラック部材６２に対して爪６１が円弧移動を許容される方向は、原則として一方向のみ（順方向のみ）に制限されている。
【００３９】
このラック部材６２には、爪６１が円弧移動を許容される順方向において、最も終端側に位置する送り歯７２（以下、「終端送り歯７２Ｚ」と言う）まで爪６１が送られた後、爪６１を逆方向に回帰させるのを可能にするためのリセット機構７５が設けられている。
このリセット機構７５は、ハウジング６５に設けられたスライダ８０と、このスライダ８０に設けられた解除レバー８１と、ラック部材６２に設けられた止めカム部８２とを有している。
スライダ８０は、ハウジング６５の両垂下壁６７又はいずれか一方の垂下壁６７に対して、その内面側（ラック部材６２の前後面に臨んだ面）に設けられている。従って支持部材２０が枢支基部２７を支点に揺動するとき、これに同行するようにスライダ８０も円弧移動する。ラック部材６２の前後面には、スライダ８０の円弧移動をガタツキなく案内するためのレール部８５が設けられており、スライダ８０にはこのレール部８５に対して摺動自在に係合する摺動部（図示略）が設けられている。
【００４０】
スライダ８０には、ハウジング６５の垂下壁６７への取り付けに用いられるボルト挿通用ボス部８６が設けられており、このボス部８６の軸方向長さを利用して、スライダ８０とハウジング６５の垂下壁６７との間に、解除レバー８１の取付スペース８７が確保されている。
解除レバー８１は、この取付スペース８７内に嵌め入れられる配置とされるものであって、レバー下端部には軸心を前後方向へ向けた揺動支軸８８が設けられ、この揺動支軸８８により左右揺動自在な状態に保持されている。
【００４１】
解除レバー８１のレバー上端部は、爪６１が円弧移動を許容される順方向において、爪６１に先行するような配置とされている。また解除レバー８１のレバー上端部は、ラック部材６２の歯谷部７３を超えて、送り歯７２の歯先と略同じか又は若干高くなる高さとなるように設けられている。
前記したように、解除レバー８１のレバー上端部はラック部材６２の歯谷部７３を超えているので、爪６１を順方向で円弧移動させるときには、爪６１の補助爪先６１ｂに係合して円弧移動の先方側へ押され、スライダ８０の取付スペース８７内で奥隅（図９中の右端）に押し付けられている。
【００４２】
なお、ラック部材６２には、終端送り歯７２Ｚまで爪６１が送られたときに、爪６１に押されて移動する解除レバー８１を当て止めするレバーストッパ９０が設けられている（図１０参照）。
従って、終端送り歯７２Ｚまで爪６１が送られた後、引き続きこの爪６１に対して順方向へ移動するように力が加えられると、爪６１はその補助爪先６１ｂが解除レバー８１のレバー上端部と接触干渉し、このレバー上端部へ乗り上げるようになる（図１１参照）。そのため、爪６１（爪先６１ａ，６１ｂ及び爪股部６１ｃ）が送り歯７２及び歯谷部７３と噛合した状態は解除される。
【００４３】
爪６１が解除レバー８１に乗り上げた状態（送り歯７２との噛合が解除された状態）で爪６１を逆方向へ円弧移動させるようにすると、図１２に示すように、解除レバー８１は、爪６１に随伴する状態として揺動支軸８８を支点に揺動することになる。
止めカム部８２は、図９に示すように、ラック部材６２において、爪６１の順方向で最も始端位置となる送り歯７２（以下、「始端送り歯７２Ａ」と言う）に隣接する位置で、この始端送り歯７２Ａよりも高くなるように突出形成されたものである。
従って、この止めカム部８２は、始端送り歯７２Ａへ向けて爪６１が逆方向へ回帰されるときにこの爪６１を当て止めし、更に爪６１が下向きとなるように誘導する。これにより、爪６１が始端送り歯７２Ａと確実に噛合する状態となる。
【００４４】
幅切換機構２５では、前記した支持部材２０をはじめとして、枢支基部２７、及びラチェット部６０が、座部２を挟んだ左右両側（即ち、左右のエアバッグ１２）に対して、左右対称で同様に設けられている。
以上の説明から明かなように、本第２実施形態で採用された幅切換機構２５により、エアバッグ１２を肘掛け部７に対して出し入れしたり、出した状態で幅方向の移動をさせたりするには次のようにする。
いま、肘掛け部７に対してエアバッグ１２が埋め込み状に収納されているとする（図９の状態）。このとき、爪６１は始端送り歯７２Ａと係合した状態にある。左右のエアバッグ１２，１２が同じ状態としてあれば、両エアバッグ１２，１２間の距離が最も広がった離反状態となって、肘掛け部７の内側面５１と面一又は内側面５１より陥没した状態となる。このため、始端送り歯７２Ａが「広幅停止部」に相当し、このときの座部２上の幅を「座部２への着座動作に支障のない幅」又は「退避モード」とすればよい。
【００４５】
座部２に着座した使用者がエアバッグ１２に手を掛けて座部２側へ引き出すようにすると、支持部材２０が枢支基部２７を支点として左右方向の内側（座部２側へ突出する方向）へ向けて揺動する。従って、これにより爪６１が順方向（図９では左方から右方に相当）へ円弧移動する。そのため、前記したように爪６１は送り歯７２に乗り上げ、乗り越えることを繰り返すようになる。
座部２に着座する使用者にとって、左右方向の希望位置にエアバッグ１２が到達したときに、エアバッグ１２から手を離せば、爪６１と送り歯７２との噛合状態は維持される（図１０参照）。
【００４６】
このように爪６１が、中間の送り歯７２又は終端送り歯７２Ｚと噛合した場合、エアバッグ１２が肘掛け部７の内側面５１から突出し、左右のエアバッグ１２，１２間の距離が狭まり近接状態となる。このため、中間の送り歯７２又は終端送り歯７２Ｚが、「狭幅停止部」に相当し、このときの座部２上の幅を「使用モード」すればよい。言うまでもなく、爪６１が終端送り歯７２Ｚと噛合したとき、左右のエアバッグ１２，１２は最も近接状態となる。
爪６１が終端送り歯７２Ｚと噛合した状態から、エアバッグ１２を更に引き出すようにすると、爪６１が解除レバー８１に乗り上げて終端送り歯７２Ｚとの噛合が解除され、逆方向への円弧移動が許容されるので（図１１参照）、エアバッグ１２は枢支基部２７を支点として幅方向外側へ向けて揺動させることができる（図１２参照）。
【００４７】
かくして、爪６１は止めカム部８２に当て止めされることによって始端送り歯７２Ａと係合した状態に戻り、エアバッグ１２は、肘掛け部７に埋め込み状に収納された状態、即ち、当初の「広幅停止部」に戻ることになる。
今回開示された実施形態はすべての点で例示であって制限的なものではないと考えられるべきである。本発明の範囲は前記した説明ではなくて特許請求の範囲によって示され、特許請求の範囲と均等の意味及び範囲内でのすべての変更が含まれることが意図される。
エアバッグ１２は、座部２以外にも、背もたれ部３に対してその左右両側に設けるようにすることができる。つまり、背もたれ部３の左右両側に前方突出状の腕押圧部５０が設けられており、この腕押圧部５０の互いに対向する内側面５１にエアバッグ１２が埋め込み状に設けられ、幅切換機構は、左右の腕押圧部５０の内部に配設されるよう構成されてもよい。
【００４８】
エアバッグ１２において、指圧袋１５とバックアップ袋１６との重ね合わせ構造になっている点や、指圧袋１５が前後方向中央部で区画部１７によって区画されている構造などは、特に限定されるものではない。例えばエアバッグ１２は、膨出と収縮とを行う方向で蛇腹構造になったものや単一の袋構造を有したものなどとすることも可能である。
【符号の説明】
【００４９】
１  椅子型マッサージ機
２  座部
３  背もたれ部
７  肘掛け部
１２  エアバッグ
１５  第２エアバッグ（指圧袋）
１６  第１エアバッグ（バックアップ袋）
１７  区画部
２０  支持部材
２５  幅切換機構
２７  枢支基部
２８  付勢部材
２９  突出量調整部
３０  コイルバネ
３１  操作機構
４２  広幅停止部（係合部）
４３  第１狭幅停止部（係合部）
４４  第２狭幅停止部（係合部）
５０  腕押圧部
６０  ラチェット部
６１  爪
６２  ラック部材
７２  送り歯
７５  リセット機構
【図１】
2010162071.tif 000003
【図２】
2010162071.tif 000004
【図３】
2010162071.tif 000005
【図４】
2010162071.tif 000006
【図５】
2010162071.tif 000007
【図６】
2010162071.tif 000008
【図７】
2010162071.tif 000009
【図８】
2010162071.tif 000010
【図９】
2010162071.tif 000011
【図１０】
2010162071.tif 000012
【図１１】
2010162071.tif 000013
【図１２】
2010162071.tif 000014